(57)【特許請求の範囲】
【請求項１】
容器又は包装体内から順番に取り出すことが可能な形態で収納される繊維シートにおいて、
所定枚数の繊維シートが取り出された後、前記容器又は包装体内に残る繊維シートのうちの少なくとも一枚に、繊維シートの色とは違う色のついた糸又は帯状体が縫い込まれていることを特徴とする繊維シート。
【請求項２】
容器又は包装体内から順番に取り出すことが可能な形態で収納される繊維シートにおいて、
所定枚数の繊維シートが取り出された後、前記容器又は包装体内に残る繊維シートのうちの少なくとも一枚に、繊維シートの色とは違う色のついた糸又は帯状体が抄き込まれていることを特徴とする繊維シート。
【請求項３】
容器又は包装体内から順番に取り出すことが可能な形態で収納される繊維シートにおいて、
所定枚数の繊維シートが取り出された後、前記容器又は包装体内に残る繊維シートのうちの少なくとも一枚に、繊維シートの色とは違う色がつき且つ熱可塑性樹脂を含有した糸又は帯状体が溶着されていることを特徴とする繊維シート。
【請求項４】
液体を含浸させた請求項１ないし３のいずれかに記載の繊維シート。
【請求項５】
前記糸又は帯状体の色を、容器又は包装体内の繊維シートの残り枚数に応じて１枚ごと又は複数枚ごとに順に変化させた請求項１ないし４のいずれかに記載の繊維シート。
【請求項６】
前記糸又は帯状体の数を、容器又は包装体内の繊維シートの残り枚数に応じて１枚ごと又は複数枚ごとに順に変化させた請求項１ないし４のいずれかに記載の繊維シート。
【発明の詳細な説明】
【０００１】
【発明の属する技術分野】
本発明は、ウエットティッシュなどの複数枚の繊維シートが、容器内又は包装体内から順番に取り出すことが可能な形態で収納された繊維シートに関する。
さらに詳しくは、使用者が容器内又は包装体内における繊維シートの残り枚数の減少を知ることができる繊維シートに関する。
【０００２】
【従来の技術】
おしり拭き用、化粧用などのウエットティッシュは、硬質な容器又は積層フィルムで形成された包装体内に、１枚ずつ順番に取出すことが可能な形態で収納されている。
例えば、図４に示す箱型の硬質容器１０は、箱本体１１、蓋体１２、蓋体１２に形成された取出し口１４及び前記取出し口１４を開閉する小蓋片１３を有している。この硬質容器１０は、ウエットティッシュなどの薬液や化粧水を含浸した繊維シートを保湿したまま保存できるよう密閉性が高くなっている。繊維シート１は１枚ずつ互い違いに挟み合うように折り畳まれ且つ積層された状態で硬質容器１０内に収納されている。取出し口１４から繊維シート１を取り出すと、取り出される繊維シート１に引きずられて次の繊維シートが取出し口１４から一部突出した状態で残る。この突出した繊維シート端部を指で引っ張ると、次の繊維シートを取り出せるようになる。
【０００３】
また図５に示す円筒型の硬質容器２０も、容器本体２１、蓋体２２、蓋体２２に形成された取出し口２４及び小蓋片２３を有している。この硬質容器２０内では、帯状に連続した繊維シートが円筒状に巻かれた状態で収納されており、且つ所定長の繊維シートごとに分離できるようにミシン目が形成されている。円筒状に巻かれた繊維シートを取出し口２４から引き出して引っ張ることにより、ミシン目の部分が取出し口２４から出た状態において、ミシン目の部分から繊維シートが分離される。結果、１枚の繊維シートのみが取り出される。そして取出し口２４に残りの繊維シートが一部突出して残る。この突出した部分を掴んで引くことにより、次の繊維シートを取出すことができる。
【０００４】
【発明が解決しようとする課題】
しかし、図４又は図５に示すような硬質容器１０又は２０では、内部に収納されたウエットティッシュなどの繊維シート１を外部から見ることができないため、容器内の残り枚数がわからない。したがって、使用途中で残り枚数がわずかになったとき又は繊維シートが無くなってしまったときにこれを予測できない点で不便である。
例えば、紙製の箱に１枚ずつドライなティッシュペーパーを取り出すことが可能な形態で収納されたいわゆるボックスティッシュでは、最下層の一定枚数のティッシュペーパーが着色されているため、残り枚数が少なくなってきたことを使用者に知らせることができるようになっている。
【０００５】
しかし、ウエットティッシュのように薬液や化粧水などの液体を含浸させるものに前記の着色を施すと、繊維シート上で着色添加物が液体に混じり、にじんでしまう。また、おしり拭き用や化粧用のような肌に触れるウエットティッシュに着色添加物を含ませると、肌に悪い影響を与える恐れがある。すなわち、ウェットティッシュなどには繊維シートとは違う色を付加することが難しかった。
【０００６】
また、実開平４−５６６３８号公報には、ウエットティッシュを収納した容器に内部を目視できる窓を形成する考案が開示されている。しかし、容器に透明な窓を形成すると、容器の構造が複雑になってコストが高くなる。また、図５に示すようなシートが円筒状に巻かれて収納されているものでは、残り枚数が少なくなっても容器本体２１内のシートが円筒状であることに変わりはない。そのため、容器本体２１に透視可能な窓を形成しても、目視によりシートの減少状態を正確に把握できない。
一方、色付きの不織布等を用いて、繊維シートの一部分に織り込むことは可能であるが、コストが高く、また製造工程も複雑となり効率が悪い。
【０００７】
本発明は、容器や包装体内でのウエットティッシュなどの残り枚数の減少を知ることができ、しかも繊維シートに直接着色を施す必要のない、順番に取り出すことが可能な形態で収納される繊維シートを提供することを目的としている。
【０００８】
【課題を解決するための手段】
本発明の目的及び利点は、容器又は包装体内から所定枚数の繊維シートが取り出された後、前記容器又は包装体内に残る繊維シートのうちの少なくとも一枚に、繊維シートの色とは違う色のついた糸又は帯状体が付されている、順番に取り出すことが可能な形態で収納される繊維シートにより達成される。
【０００９】
本発明における繊維シートの繊維とは、化学繊維及び天然繊維又はどちらか一方を用いることができる。例えば、木綿等の天然繊維、レーヨン、ポリエチレン（以下ＰＥという）、ポリプロピレン（以下ＰＰという）、ポリビニルアルコール、ポリエステル又はポリアクリルニトリル等の合成繊維、ポリエチレン等からなる合成パルプ並びにガラスウール等の無機繊維などを繊維シートに含有さることも可能である。繊維シートとしては、例えば、レーヨン、ＰＰ及びＰＥ等の繊維からポイントボンド法によって製造される不織布などがある。また、同様の繊維からスパンレース法によって製造される不織布などがある。
【００１０】
本発明において、繊維シートに付される糸又は帯状体としては、より糸、モノフィラメント、トウ、フィルム、スライバー、ティッシュ等があげられる。
【００１１】
さらに、本発明において用いられる糸又は帯状体は、繊維シートと違う色であることが必要である。繊維シートとは違う色であればどのような色でもかまわない。また、本発明においては、様々な色の糸又は帯状体を用いることにより、美観に優れた繊維シートとすることもできる。
【００１２】
本発明においては、糸又は帯状体の色は安易に色落ちしないものが好ましい。また、繊維シートをウェットティッシュのように薬液や化粧水などの液体を含浸させるもの場合、繊維シート上で着色添加物が液体に混じり、にじんでしまうのを防ぐため、含浸させる液体に溶けないものであることが好ましい。色落ちしにくい糸としては、綿、絹、ＰＥ、ＰＰ、ポリエチレンテレフタレート、アクリル、ナイロン、レーヨン等があげられる。
【００１３】
綿や絹等の天然繊維を着色する方法には、堅牢染め等がある。また、ＰＥ、ＰＰ、ＰＥＴ、アクリル、ナイロン等の化学繊維を着色するには、マスターバッチを利用する方法等がある。
【００１４】
本発明においては、糸又は帯状体が繊維シートから簡単に取れてしまわないように付することが好ましい。例えば、繊維シートは繊維シートの色とは違う色のついた糸が縫い込まれていることが好ましい。縫い込まれる形態は、糸が繊維シートより簡単に抜け落ちてしまわないのであれば、どのような方法のものであってもかまわない。例えば、ミシンを用いて本縫いや一重環縫いによって縫い込むことが可能である。
【００１５】
また、本発明においては、糸又は帯状体が繊維シート内に抄き込まれている構成とすることも可能である。糸又は帯状体を繊維ウェッブの表面近く又は内部に抄き込み、すなわち繊維ウェッブの繊維間に糸又は帯状体が抄き込まれた状態において、ウォーターニードリング等を施すことにより、繊維同士を交絡させて繊維シートを製造する。この時使用する糸としては、トウやスライバーの形態をした着色した繊維をあげることができる。また、帯状体としては着色したティッシュやスパンボンド、メルトブローン等により製造された不織布をあげることができる。
【００１６】
更にまた、糸又は帯状体が熱可塑性樹脂を含んでいる場合には溶着により繊維シートに付することができる。例えば、熱ロールによる加圧加熱、又はホーンとアンビルで加圧して超音波を与える自己誘導加熱などの方法を用いて糸又は帯状体に含まれる熱可塑性樹脂が融解することにより、糸又は帯状体を繊維シートに付することができる。
【００１７】
熱可塑性樹脂には、その他、ポリエチレン、ポリプロピレン、ポリー４ーメチルペンテン、アイオノマー、ポリ塩化ビニル、ポリ塩化ビニルデン、ＡＢＳ樹脂ポリスチレン・ＡＢ樹脂、メタクリル酸樹脂、ポリビニルアルコール、セルロース系プラスチックなどがある。本発明における繊維シートをウェットティッシュとする場合においては、ポリエチレン（ＰＥ）繊維、ポリプロピレン（ＰＰ）繊維、又はＰＥとＰＰの複合繊維などが好ましい。
【００１８】
本発明における熱可塑性樹脂の融点は、繊維シートの融点より低いことが好ましい。融着させる場合、糸又は帯状体の樹脂のみが融解し、繊維シートそのものは融解しないことが好ましいからである。なぜなら、繊維シートそのものが融解すると、繊維が硬化するため手で触った感触においてソフト感が低下して使用間が悪いものとなってしまう。
【００１９】
本発明では、繊維シートを着色することなく、容器内の残った繊維シートの枚数が少ないことを使用者が知ることができるため、薬液や化粧水などの液体を含浸したウエットな繊維シート（例えばウエットティッシュ）のように着色されると好ましくない繊維シートに実施すると効果的である。ただし、本発明はウエットな繊維シートに限られず、台所清掃用のドライの繊維シートなどにも適用できる。
【００２０】
また、本発明においては、繊維シートに付された目印が容器又は包装体内に残された実際の枚数を表していれば、繊維シートの残量を正確に知ることができる。
【００２１】
本発明は、図４及び図５に示すような不透明な硬質容器に収納される繊維シートに限られず、軟質の容器、紙製の容器、又は積層フィルムにより形成された包装体内に収納される繊維シートにも実施できる。
【００２２】
さらに、繊維シートに付された糸又は帯状体による目印を、容器又は包装体内の繊維シートの残り枚数に応じて１枚又は複数枚ごとに順に変化させ、これにより容器又は包装体内の繊維シートの残り枚数の減少を順に知ることができるようにすることも可能である。例えば、繊維シートに付する糸又は帯状体の本数を、容器又は包装体内の繊維シートの残り枚数に応じて１枚又は複数枚ごとに順に変化させることができる。また、例えば糸又は帯状体の色を、容器又は包装体内の繊維シートの残り枚数に応じて１枚又は複数枚ごとに順に変化させることもできる。
【００２３】
【発明の実施の形態】
以下、本発明を実施の形態により更に詳しく説明する。
本発明の繊維シートは、例えば図４に示すような箱型の硬質容器１０内に、複数枚が互いに挟み合うようにして折り畳まれ、積層されて収納される。取出し口１４から繊維シート１が１枚ずつ取り出されたときに、次の繊維シートの端部が取出し口１４から一部突出する。あるいは、図５に示すような円筒型の硬質容器２０内に、帯状の繊維シートが円筒状に巻かれた状態で収納され、取出し口２４から出たときに１枚ずつミシン目で切断され、取出し口２４に次の繊維シートが残るものとなる。
【００２４】
繊維シート１は、例えばスパンレース法により製造された不織布であり、熱可塑性樹脂であるＰＥとＰＰを含んでいる。また繊維シート１は、清浄水やアルコールなどの薬液又は化粧水などの液体を含浸させ、ウエットな繊維シート（ウエットティッシュ）として使用される。
容器１０又は２０から、１枚ずつ取り出される繊維シートには基本的には繊維シートとは違う色の糸又は帯状体からなる目印が付されない。しかし、容器１０又は２０内に残る最後の１枚又は数枚の繊維シート、又は容器１０又は２０内に残る最後の繊維シートを所定枚数残した状態で取り出される１枚又は数枚の繊維シートに、図１（Ａ）に示すような糸又は帯状体１ａからなる目印が付される。
【００２５】
図１に示す繊維シートでは、先行する繊維シートに引かれて、容器１０の取出し口１４又は容器２０の取出し口２４から突出する先端側にあたる部分に目印となる糸又は帯状体１ａが付されていることが好ましい。
また、図１（Ａ）における糸又は帯状体１ａは、糸より少し幅が広めである帯状体、例えばフィルムなどであってもよい。その場合、フィルムに含まれる熱可塑性樹脂が熱により溶融し、繊維シートに付することができる。
【００２６】
図１（Ｂ）に示すように、糸又は帯状体１ａが、繊維シートに点線状に縫い付けられるようなものであってもよい。
また、図１（Ｃ）に示すように、糸又は帯状体１ａが、繊維シートの端部における一部分に付されるものであってもよい。その場合、一本の糸又は帯状体では、目印となりにくい場合がある。しかし、図１（Ｄ）に示すように、複数本の糸又は帯状体１ａを付することもできる。
【００２７】
図２（Ａ）では、容器や包装体内の繊維シートの残り枚数を、繊維シートに付された糸又は帯状体１ａの本数を５本、４本、３本、２本、１本、などのように順に変化させている。また、図２（Ｂ）では、容器や包装体内の繊維シートの残り枚数を、繊維シートに付された糸又は帯状体１ａの色を一枚ごとに順に変化させている。このようにして、糸又は帯状体１ａによる目印の変化により、繊維シートの残り枚数の減少を順に知ることもできる。
【００２８】
また、図３に示すように、４枚や５枚ごとに繊維シートに付する糸又は帯状体１ａの本数を変化させるものであっても、目印の変化により、繊維シートの残り枚数の減少を順に知ることができる。すなわち、４枚や５枚などの所定枚数の繊維シートごとに同じ形態の糸又は帯状体１ａの目印を付し、この目印の形が所定枚数ごとに変化していくものであってもよい。
なお、糸又は帯状体１ａの目印により繊維シートの残り枚数を順に表現する場合、目印が付された繊維シートの後に、糸又は帯状体１ａが付されていない、すなわち目印の無い繊維シートが容器又は包装体内に数枚残るような形態で収納されるものであってもよい。
【００２９】
【発明の効果】
以上詳述したように、本発明によれば、繊維シートに直接着色しなくとも、繊維シートの色とは違う色のついた糸又は帯状体１ａを付して目印とすることができる。よって、使用者は、順番に取り出すことが可能な形態で収納される繊維シートの使用中において、容器又は包装体内にある繊維シートの残り枚数がどの程度減少しているか知ることができる。
【００３０】
また、繊維シートを着色添加物で着色する必要がないため、薬品や化粧水を含浸させたウエット繊維シートの場合に肌に悪い影響を与える恐れがない。
【００３１】
また、糸又は帯状体１ａの色や繊維シートに付する本数を変化させることにより、見た目に美しい、デザイン性に優れた目印を形成することも可能である。
【図面の簡単な説明】
【図１】（Ａ）（Ｂ）（Ｃ）（Ｄ）は糸又は帯状体１ａによる目印が付された本発明の繊維シートの一例を示す平面図、
【図２】（Ａ）（Ｂ）は、繊維シートの残り枚数に応じて目印が変化する例を示す繊維シートの部分平面図、
【図３】繊維シートの残り枚数に応じて目印が変化する他の例を示す繊維シートの部分平面図、
【図４】本発明の繊維シートが収納される容器の一例を示す斜視図、
【図５】本発明の繊維シートが収納される容器の他の一例を示す斜視図、
【符号の説明】
１  繊維シート
１ａ  糸又は帯状体
１０、２０  硬質容器
【図１】
0003628152.tif 000002
【図２】
0003628152.tif 000003
【図３】
0003628152.tif 000004
【図４】
0003628152.tif 000005
【図５】
0003628152.tif 000006